Podtech/llm-jp-corpus-v4-ja_patent huggingface dataset:
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
ユーザまたは取引を認証する方法であって、
ユーザデバイスを使用して物理トークンの画像データをキャプチャすることであって、前記画像データがグラフィカルコードを含むことと、
前記画像データから前記ユーザに関する識別情報を取得することと、
ローカルデータが収集される瞬間の（１）前記ユーザデバイスの物理的状態または（２）前記ユーザデバイスに一意の前記画像データの特性についての複数タイプの前記ローカルデータを収集することと、
前記複数タイプのローカルデータを結びつけることによって、ノンスデータを生成することと、
（１）前記識別情報および（２）前記ノンスデータに基づいて、前記ユーザまたは前記取引を１つまたは複数のプロセッサを用いて認証することと
を含む、方法。
【請求項２】
前記物理トークンが、前記ユーザに関する前記識別情報を含む前記グラフィカルコードを含む、請求項１に記載の方法。
【請求項３】
前記物理トークンが、権限エンティティによって発行され、前記ユーザのアイデンティティと関連付けられる、請求項１に記載の方法。
【請求項４】
前記複数タイプのローカルデータが、（ｉ）前記画像データをキャプチャする動作のために前記ユーザデバイスに連結された画像デバイスの１つまたは複数の動作パラメータ、または（ｉｉ）前記画像データがキャプチャされる瞬間の前記画像デバイスに一意の前記画像データのキャプチャの１つまたは複数の特性に関する、請求項１に記載の方法。
【請求項５】
前記ユーザデバイスの前記物理的状態に関する前記複数タイプのローカルデータが、１つまたは複数のセンサによって収集されたデータを含む、請求項１に記載の方法。
【請求項６】
前記ユーザデバイスの前記物理的状態が、前記ユーザデバイスの構成要素の物理的状態を示すデータを含み、前記構成要素が、画像デバイス、電源ユニット、プロセッサ、およびメモリを含むグループから選択される、請求項１に記載の方法。
【請求項７】
前記画像データの前記特性が、前記ユーザに関する前記識別情報を抽出する前記画像データの画像処理から得られる、請求項１に記載の方法。
【請求項８】
前記画像データのキャプチャの前記１つまたは複数の特性は、前記グラフィカルコードを含む領域の：ひずみ、回転角度、幅、高さ、座標を含むグループから選択される少なくとも１つの項目を含む、請求項４に記載の方法。
【請求項９】
前記ノンスデータおよび識別データが、リプレイアタックの存在を判断するために、以前に収集されたノンスデータおよび以前に収集された識別データと比較される、請求項１に記載の方法。
【請求項１０】
ユーザまたは取引の認証を行うためのシステムであって、
ユーザが取引を行うのを許可するように構成される、ユーザデバイスと通信状態にあるサーバを備え、前記サーバが、（ｉ）ソフトウェア命令のセットを格納するためのメモリと、（ｉｉ）１つまたは複数のプロセッサとを備え、前記１つまたは複数のプロセッサが、
ローカルデータが収集される瞬間の（１）前記ユーザデバイスの物理的状態、および（２）前記ユーザデバイスに一意の画像データの特性についての複数タイプの前記ローカルデータを受け取ることであって、前記画像データがグラフィカルコードを含むこと、
前記複数タイプのローカルデータを結びつけることによって、ノンスデータを生成すること、
前記ユーザによって保有される物理トークンの前記画像データを受け取ること、
前記画像データから前記ユーザに関する識別情報を取得すること、ならびに
（１）前記識別情報および（２）前記ノンスデータに基づいて前記ユーザまたは前記取引を認証すること
を行うソフトウェア命令の前記セットを実行するように構成される、システム。
【請求項１１】
前記物理トークンが、前記ユーザに関する前記識別情報を含む前記グラフィカルコードを含む、請求項１０に記載のシステム。
【請求項１２】
前記物理トークンが、権限エンティティによって発行され、前記ユーザのアイデンティティと一意に関連付けられる、請求項１０に記載のシステム。
【請求項１３】
前記複数タイプのローカルデータが、（ｉ）前記画像データをキャプチャする動作のために前記ユーザデバイスに連結された画像デバイスの１つまたは複数の動作パラメータ、または（ｉｉ）前記画像データがキャプチャされる瞬間の前記画像デバイスに一意の前記画像データのキャプチャの１つまたは複数の特性に関する、請求項１０に記載のシステム。
【請求項１４】
前記画像デバイスの前記１つまたは複数の動作パラメータのうちの少なくとも１つが、前記システムによって生成された命令に応答して変えられる、請求項１３に記載のシステム。
【請求項１５】
前記ユーザデバイスの前記物理的状態が、１つまたは複数のセンサによって収集されたデータを含む、請求項１０に記載のシステム。
【請求項１６】
前記ユーザデバイスの前記物理的状態が、前記ユーザデバイスの構成要素の物理的状態を示すデータを含み、前記構成要素が、画像デバイス、電源ユニット、プロセッサ、およびメモリを含むグループから選択される、請求項１０に記載のシステム。
【請求項１７】
前記画像データの前記特性が、前記ユーザに関する前記識別情報を抽出する前記画像データの画像処理から得られる、請求項１０に記載のシステム。
【請求項１８】
前記ノンスデータおよび識別データが、リプレイアタックの存在を判断するために、以前に収集されたノンスデータおよび以前に収集された識別データと比較される、請求項１０に記載のシステム。
【請求項１９】
アンチリプレイ防御によってユーザまたは取引を認証する方法であって、
ユーザデバイスを使用して物理トークンの画像データをキャプチャすることと、
ローカルデータが収集される瞬間の（１）前記画像データをキャプチャする前記動作に関連した前記ユーザデバイスの物理的状態、または（２）前記ユーザデバイスに一意の前記画像データの特性に関する複数タイプの前記ローカルデータを収集することと、
前記複数タイプのローカルデータを結びつけることによって、ノンスデータを生成することと、
前記ユーザデバイスまたは前記ユーザに関する識別情報を取得することと、
以前に収集されたノンスデータおよび以前に収集された識別情報と前記ノンスデータおよび前記識別情報を１つまたは複数のプロセッサを用いて比較することと、
前記ノンスデータおよび前記以前に収集されたノンス状態データが同一であるかどうかに基づいて、リプレイアタックの存在を前記１つまたは複数のプロセッサを用いて判断することと
を含む、方法。
【請求項２０】
前記複数タイプのローカルデータが、（ｉ）前記画像データをキャプチャする動作中の、前記ユーザデバイスに連結された画像デバイスの１つまたは複数の動作パラメータ、または（ｉｉ）前記画像データがキャプチャされる瞬間の前記画像デバイスに一意の前記画像データのキャプチャの１つまたは複数の特性に関する、請求項１９に記載の方法。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
フレクシャを製造する方法であって、
フレクシャの製造に使用する組立シートに含まれるクーポンの少なくとも１つの形体にテストを実施し、前記少なくとも１つの形体はフレクシャの部分の作製に使用する製造プロセスステップによって作製されるものであり、前記形体の物理的特徴には前記部分の物理的特徴とは異なる少なくとも１つの物理的特徴を含む、ステップと、
実施した前記テストに基づいて、前記製造プロセスステップがフレクシャの異常な部分を作製するかを判定するステップと、
前記製造プロセスステップを調整するステップと、
調整した前記製造プロセスステップを用いてフレクシャの部分を製造するステップとを含む、方法。
【請求項２】
前記物理的特徴は、サイズ、高さ、厚さ、幅、直径、導電性、抵抗、反射性、接着性、側部スロープ、及び色の少なくとも１つに関連する、請求項１に記載の方法。
【請求項３】
前記テストは、前記少なくとも１つの形体のサイズ、高さ、厚さ、幅、直径、導電性、抵抗、反射性、接着性、側部スロープ、及び色の少なくとも１つを測定するものである、請求項１に記載の方法。
【請求項４】
前記テストは、ビジョンテスト、電気テスト、分光法テスト、及び白色干渉計テストの少なくとも１つを含む、請求項１に記載の方法。
【請求項５】
前記少なくとも１つの形体は、種々のサイズの、複数の円形ドット、複数の円形孔、複数の水平矩形部、複数の水平矩形溝部、複数の鉛直矩形部、複数の鉛直矩形溝部、位置合わせ層、星パターン、複数のグランド形体、及びらせん状導体の少なくとも１つを含む、請求項１に記載の方法。
【請求項６】
前記少なくとも１つの形体は、一連の種々の寸法を有する同様の一式の形体を含む、請求項１に記載の方法。
【請求項７】
前記同様の一式の形体は、一式の孔、一連の種々の直径を有する一式のドット、一連の種々の幅を有する一式の水平矩形部、一連の種々の幅を有する一式の水平矩形溝部、一連の種々の幅を有する一式の鉛直矩形部、及び一連の種々の幅を有する一式の鉛直矩形溝部の少なくとも１つである、請求項６に記載の方法。
【請求項８】
前記製造プロセスステップは、誘電層を塗布すること、導電層を塗布すること、バッキング層を塗布すること、ベース層をエッチングすること、誘電層をエッチングすること、導電層をエッチングすること、及びバッキング層をエッチングすることの少なくとも１つを含む、請求項１に記載の方法。
【請求項９】
前記テストは、誘電層を塗布すること、導電層を塗布すること、バッキング層を塗布すること、ベース層をエッチングすること、誘電層をエッチングすること、導電層をエッチングすること、及びバッキング層をエッチングすることである製造ステップの少なくとも１つの前又は後に実施される、請求項１に記載の方法。
【請求項１０】
前記製造プロセスステップを調整することは、コンベア速度の調整、マニフォルド圧力の調整、化学濃度の調整、化学温度の調整、焼成温度の調整、及び硬化温度の調整の少なくとも１つを含む、請求項１に記載の方法。
【請求項１１】
前記クーポンは、前記組立シートの境界部、フレクシャの列の間、フレクシャのカラムの間、及び前記組立シートのキャリアストリップの少なくとも１つの近位に形成される、請求項１に記載の方法。
【請求項１２】
フレクシャの製造に使用する組立シートに形成された少なくとも１つの形体を含むクーポンにおいて、
前記少なくとも１つの形体は、フレクシャの部分を作製するために使用される製造プロセスステップによって作製され、
前記少なくとも１つの形体に行ったテストの結果は、フレクシャの異常部分が作製されたときを示し、
前記少なくとも１つの形体の物理的特徴には前記部分の物理的特徴とは異なる少なくとも１つの物理的特徴を含む、クーポン。
【請求項１３】
前記物理的特徴は、サイズ、高さ、厚さ、幅、直径、導電性、抵抗、反射性、接着性、側部スロープ、及び色の少なくとも１つに関連する、請求項１２に記載のクーポン。
【請求項１４】
前記テストは、前記少なくとも１つの形体のサイズ、高さ、厚さ、幅、直径、導電性、抵抗、反射性、接着性、側部スロープ、及び色の少なくとも１つを測定するものである、請求項１２に記載のクーポン。
【請求項１５】
前記テストは、ビジョンテスト、電気テスト、分光法テスト、及び白色干渉計テストの少なくとも１つを含む、請求項１２に記載のクーポン。
【請求項１６】
前記少なくとも１つの形体は、種々のサイズの、複数の円形ドット、複数の円形孔、複数の水平矩形部、複数の水平矩形溝部、複数の鉛直矩形部、複数の鉛直矩形溝部、位置合わせ層、星パターン、複数のグランド形体、及びらせん状導体の少なくとも１つを含む、請求項１２に記載のクーポン。
【請求項１７】
前記少なくとも１つの形体は、一連の種々の寸法を有する同様の一式の形体を含む、請求項１２に記載のクーポン。
【請求項１８】
前記同様の一式の形体は、一式の孔、一連の種々の直径を有する一式のドット、一連の種々の幅を有する一式の水平矩形部、一連の種々の幅を有する一式の水平矩形溝部、一連の種々の幅を有する一式の鉛直矩形部、及び一連の種々の幅を有する一式の鉛直矩形溝部の少なくとも１つである、請求項１７に記載のクーポン。
【請求項１９】
前記製造プロセスステップは、誘電層を塗布すること、導電層を塗布すること、バッキング層を塗布すること、ベース層をエッチングすること、誘電層をエッチングすること、導電層をエッチングすること、及びバッキング層をエッチングすることの少なくとも１つを含む、請求項１２に記載のクーポン。
【請求項２０】
前記クーポンは、前記組立シートの境界部、フレクシャの列の間、フレクシャのカラムの間、及び前記組立シートのキャリアストリップの少なくとも１つの近位に形成される、請求項１２に記載のクーポン。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
コンピュータによって実現される方法であって、
カラー画像データから深度データを予測するための統計モデルを定義するデータを記憶するステップと、
少なくとも１つの入力された両眼ステレオ画像ペアを用いて、
前記入力された両眼ステレオペアの各画像について、前記画像に適用されたときに他の画像の再構築を可能にする対応する視差値を予測すること、及び
前記ステレオペアの各画像についての前記予測視差値の間の整合性を高めるコスト関数に基づいて前記統計モデルを更新すること、
によって訓練された前記統計モデルを用いて、入力された単一カラー画像から視差マップを予測するステップと、
前記視差マップに基づいて、前記入力された単一カラー画像の深度マップを生成するステップと、を含む方法。
【請求項２】
前記統計モデルは、前記ステレオペアの各画像について、前記対応する視差値に基づいて投影視差値を計算することによってさらに訓練される、請求項１に記載の方法。
【請求項３】
前記投影視差値は、前記ステレオペアの一方の画像について第１画像の前記予測視差値をサンプリングし、かつ前記サンプリングされたデータに他方の画像の前記予測視差値を適用することで計算される、請求項２に記載の方法。
【請求項４】
前記コスト関数は、予測視差値間の整合性を高めるための視差整合性構成要素と、前記ステレオペアの各画像に対して計算された投影視差値とを含む、請求項２または３に記載の方法。
【請求項５】
前記統計モデルは、前記ステレオペアの前記第１画像のサンプリングされた画像ピクセルをずらすために前記対応する予測視差値を適用することで、前記ステレオペアの第２画像を再構築することによってさらに訓練される、請求項１〜４のいずれか一項に記載の方法。
【請求項６】
前記サンプリングは、バイリニア補間を含む、請求項３または５に記載の方法。
【請求項７】
前記コスト関数は、前記再構築画像と前記対応する入力画像との間の画像再構築誤差を最小にするための再構築アピアランスマッチング構成要素をさらに含む、請求項５または６に記載の方法。
【請求項８】
前記コスト関数は、前記対応する予測視差値を局所的に平滑化するための平滑化構成要素をさらに含む、請求項７に記載の方法。
【請求項９】
前記コスト関数は、前記視差整合性構成要素、前記平滑化構成要素、及び前記再構築アピアランスマッチング構成要素の重み付き和を実現する、請求項８に記載の方法。
【請求項１０】
前記統計モデルは、各処理ノードが少なくとも一つの重み値を有する処理ノードの構造化された配置を含む畳み込みニューラルネットワーク（convolutional neural network: CNN）を含む、請求項１〜９のいずれか一項に記載の方法。
【請求項１１】
前記畳み込みニューラルネットワークは、前記コスト関数の逆伝播構成要素により訓練される、請求項１０に記載の方法。
【請求項１２】
前記統計モデルは、
複数の空間解像度で前記入力画像データをアップサンプリング及びアップコンボリューションし、
各空間解像度で対応する視差値を予測することによってさらに訓練され、
前記統計モデルは、前記ステレオペアの各画像に対する各空間解像度で前記予測視差値間の整合性を高めるコスト関数に基づいて更新される、請求項１〜１１のいずれか一項に記載の方法。
【請求項１３】
前記コスト関数は、前記空間解像度に応じて前記予測視差値間の整合性の重み付き強化を含む、請求項１２に記載の方法。
【請求項１４】
前記両眼ステレオ画像ペアは、既知のカメラ焦点長を有しかつ既知の基線距離だけ離れているそれぞれのカメラによって同時に撮像され、それによって前記予測視差値から対応する深度データが計算される、請求項１〜１３のいずれか一項に記載の方法。
【請求項１５】
前記両眼ステレオ画像ペアは、修正されかつ時間的にアラインされたステレオペアである請求項１４に記載の方法。
【請求項１６】
デジタル画像は、前記画像を撮像した前記それぞれのカメラの属性を定義するメタデータで注釈付けされる、請求項１５に記載の方法。
【請求項１７】
請求項１〜１６のいずれか一項に記載の方法を実行する手段を含む装置。
【請求項１８】
請求項１〜１６のいずれか一項に記載の方法を実行する手段を含むシステム。
【請求項１９】
コンピュータシステムに請求項１〜１６のいずれか一項に記載の方法を実行させるための機械読取可能な命令を記憶した記憶媒体。
【請求項２０】
前記視差マップに基づいて、前記入力された単一カラー画像において合成オブジェクトを生成するステップをさらに含み、
前記合成オブジェクトを含む前記入力された単一カラー画像は、デバイスの表示インタフェースに表示される、
請求項１から１６のいずれか１項に記載の方法。
【請求項２１】
コンピュータによって実現される方法であって、
カラー画像データから深度データを予測するための統計モデルを定義するデータを記憶するステップと、
少なくとも１つの入力された両眼ステレオ画像ペアを用いた前記統計モデルの訓練を、
前記入力された両眼ステレオペアの各画像について、前記画像に適用されたときに他の画像の再構築を可能にする対応する視差値を予測すること、及び
前記ステレオペアの各画像についての前記予測視差値の間の整合性を高めるコスト関数に基づいて前記統計モデルを更新すること、
によって行うステップと、を含み、
前記訓練された統計モデルは、入力された単一カラー画像から視差マップを予測するように構成され、前記視差マップは、デバイスの表示インタフェースでの表示のための、前記入力された単一カラー画像における合成オブジェクトの生成に使用される、方法。
【請求項２２】
前記統計モデルは、前記ステレオペアの前記第１画像のサンプリングされた画像ピクセルをずらすために前記対応する予測視差値を適用することで、前記ステレオペアの第２画像を再構築することによってさらに訓練される、請求項２１に記載の方法。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ランプであり、前記ランプを照明器具に前記照明器具の相補コネクタを介して取り外し可能に接続するための機械的コネクタを含み、更に、複数の発光セグメントを各々前記ランプ内の異なる位置に含むランプであって、前記ランプ内の前記発光セグメントの各々が、異なる個別コードを送信するよう変調された照明を発するよう動作可能であるランプと、
異なる前記発光セグメントの前記コードを制御するよう構成されるコントローラであって、前記コードが、前記コードのより速い検出のために、或る個別コードが、明示的に、別の個別コードに基づいて規定される、前記コード間の所定の関係を有するコントローラとを有する照明装置であって、
前記所定の関係が、或る個別コードが別の個別コードの既知の関数であるような数学的関係である照明装置。
【請求項２】
前記コードの各々が数値であり、前記所定の関係が数値関係である請求項１に記載の装置。
【請求項３】
前記発光セグメントが、２つのセグメント、第１セグメント及び第２セグメントから成り、前記関係が、前記第２セグメントの前記コードが、前記第１セグメントの前記コードに所定の値をプラス若しくはマイナスしたものであるという関係である、又は
前記発光セグメントが、２つより多いセグメントから成り、前記関係が、前記複数のセグメントの前記コードが互いに対して線形のシーケンスに従うという関係である請求項２に記載の装置。
【請求項４】
前記発光セグメントが、２つのセグメント、第１セグメント及び第２セグメントから成り、前記コードの各々が、発せられる前記照明に変調される個別波形によって表され、前記関係が、前記第２セグメントの前記コードを表す前記波形が、前記第１セグメントの前記コードを表す前記波形の逆であるという関係である請求項１に記載の装置。
【請求項５】
前記コントローラが、前記コードのタイミングを制御するよう動作可能であり、前記コードが時間的に重ならないような異なる時間に前記異なる発光セグメントから送信されるよう前記コードを制御するよう構成される請求項１乃至４のいずれか一項に記載の装置。
【請求項６】
前記コントローラが、発光が時間的に重ならないような異なる時間に発せられるよう前記異なる発光セグメントからの前記照明を制御するよう構成される請求項５に記載の装置。
【請求項７】
前記コントローラが、間に休止を挟んで前記異なる発光セグメントから送信されるよう前記コードを制御するよう構成される、又は間に休止を挟んで前記異なる発光セグメントから発せられるよう前記照明を制御するよう構成される請求項５又は６に記載の装置。
【請求項８】
前記発光セグメントが、非照明放射領域が前記発光セグメントを分離するようにして構成される請求項１乃至７のいずれか一項に記載の装置。
【請求項９】
前記ランプが、透明な、半透明な又は拡散性の外側のケーシングを更に有し、前記照明が、前記ケーシングを通して発せられ、前記ケーシングが、前記発光セグメントが入れられるキャビティを形成し、前記複数の発光セグメントが、同じケーシングに一緒に入れられる請求項１乃至８のいずれか一項に記載の装置。
【請求項１０】
前記機械的コネクタが、前記照明を発するよう前記ランプ内の前記発光セグメントに給電するために前記照明器具の電力供給回路から電力を受け取るよう構成され、前記複数の発光セグメントが、前記コネクタを介して前記電力を受け取るよう構成される請求項１乃至９のいずれか一項に記載の装置。
【請求項１１】
前記コントローラが前記ランプに組み込まれる請求項１乃至１０のいずれか一項に記載の装置。
【請求項１２】
前記ランプが、LEDベースのランプを含み、前記発光セグメントの各々が、１つ以上のLEDを含み、前記ランプが、蛍光灯用に設計された照明器具に後付け可能な、後付け可能なLEDベースのランプの形態をとる請求項１乃至１１のいずれか一項に記載の装置。
【請求項１３】
ランプであって、複数の発光セグメントを各々前記ランプ内の異なる位置に含むランプの画像を取り込むためのカメラであって、前記ランプ内の前記発光セグメントの各々が、異なる個別コードを送信するよう変調された照明を発するよう動作可能であるカメラと、
前記カメラによって取り込まれた前記ランプの前記画像から前記コードの検出をし、前記コードの前記検出を、或る個別コードが、明示的に、別の個別コードに基づいて規定される、前記コード間の所定の関係に基づいて実施するよう構成されるデコーダとを有する検出装置であって、
前記所定の関係が、或る個別コードが別の個別コードの既知の関数であるような数学的関係である検出装置。
【請求項１４】
前記ランプの前記機械的コネクタ及び前記照明器具の相補コネクタを介して前記照明器具に接続される請求項１乃至１２のいずれか一項に記載の照明装置と、
カメラ及びデコーダを含む検出装置であって、前記デコーダが、前記カメラによって取り込まれた前記ランプの画像から前記コードの検出をし、前記コードの前記検出を、或る個別コードが、明示的に、別の個別コードに基づいて規定される、前記コード間の前記所定の関係に基づいて実施するよう構成される検出装置とを有するシステム。
【請求項１５】
ランプであって、複数の発光セグメントを各々前記ランプ内の異なる位置に含むランプを、前記発光セグメントの各々に給電するために電力を供給する照明器具に接続するステップと、
異なる個別コードを送信するよう変調された照明を発するよう前記ランプ内の前記発光セグメントの各々を制御するステップであって、前記制御するステップが、異なる前記発光セグメントの前記コードを、前記コードのより速い検出のために、或る個別コードが、明示的に、別の個別コードに基づいて規定される、前記コード間の所定の関係を有するように制御するステップを含み、前記所定の関係が、或る個別コードが別の個別コードの既知の関数であるような数学的関係であるステップと、
カメラを用いて前記ランプの画像を取り込むステップと、
デコーダを用いて前記画像から前記コードの検出をするステップであって、前記検出が、前記異なる発光セグメントの前記コード間の前記所定の関係に基づくステップとを有する方法。
【手続補正書】
【提出日】令和2年5月8日(2020.5.8)
【手続補正１】
【補正対象書類名】明細書
【補正対象項目名】発明の名称
【補正方法】変更
【補正の内容】
【発明の名称】インターロックシステム及びカテーテル処置システム
【手続補正２】
【補正対象書類名】特許請求の範囲
【補正対象項目名】全文
【補正方法】変更
【補正の内容】
【特許請求の範囲】
【請求項１】
システムにおける入力デバイス用のインターロックシステムであって、
入力デバイスの物理的作動に基づいて第１電圧出力信号を生成するように構成される入力デバイスと、
前記入力デバイスを覆って配置され、第１の部分に電極めっきを有する第１の部分を含む入力デバイスカバーと、
前記入力デバイスカバーに結合された静電容量式タッチ検出回路であって、前記入力デバイスカバーの第２の部分に取り付けられ、前記入力デバイスカバーの前記第１の部分の電極めっきにおける近位の静電容量の変化を検出し且つ静電容量の変化が検出されたか否かを示すタッチ出力信号を生成するように構成された静電容量式タッチ検出回路と、
前記入力デバイスと前記静電容量式タッチ検出回路とに結合された信号許可回路であって、静電容量の変化が検出されたか否かに基づいて許可電圧出力を生成するように構成された信号許可回路と
を含むインターロックシステム。
【請求項２】
前記入力デバイスはアナログジョイスティックである、請求項１に記載のインターロックシステム。
【請求項３】
前記物理的作動は直線作動である、請求項２に記載のインターロックシステム。
【請求項４】
前記第１の部分は上部であり、前記第２の部分は下部である、請求項１に記載のインターロックシステム。
【請求項５】
前記静電容量式タッチ検出回路は、導電性接着剤を用いて前記入力デバイスカバーに取り付けられた導体を用いて前記入力デバイスカバーの上部の電極めっきに結合される、請求項４に記載のインターロックシステム。
【請求項６】
前記信号許可回路は、前記静電容量式タッチ検出回路に供給電圧を供給するように構成された通信リンクを用いて前記静電容量式タッチ検出回路に結合される、請求項１に記載のインターロックシステム。
【請求項７】
前記通信リンクは、前記静電容量式タッチ検出回路に接地電圧を供給するように更に構成されている、請求項６に記載のインターロックシステム。
【請求項８】
前記信号許可回路はゼロ速度基準電圧の入力を受信する、請求項７に記載のインターロックシステム。
【請求項９】
前記静電容量式タッチ検出回路によって静電容量の変化が検出された場合、前記許可電圧出力信号は前記第１電圧出力信号に等しい、請求項１に記載のインターロックシステム。
【請求項１０】
前記入力デバイスと前記信号許可回路とに結合された入力デバイス作動検出回路であって、前記入力デバイスが作動状態にあるか否かを検出し且つ入力デバイス作動出力信号を生成するように構成された入力デバイス作動検出回路を更に含む、請求項１に記載のインターロックシステム。
【請求項１１】
カテーテル処置システムであって、
経皮デバイスと前記経皮デバイスに結合された少なくとも１つの駆動機構とを含むベッドサイドシステムと、
前記ベッドサイドシステムに結合されたワークステーションであって、
入力デバイスの物理的作動に基づいて第１電圧出力信号を生成するように構成される入力デバイスと、
前記入力デバイスを覆って配置され、第１の部分に電極めっきを有する第１の部分を含む入力デバイスカバーと、
前記入力デバイスカバーに結合された静電容量式タッチ検出回路であって、前記入力デバイスカバーの第２の部分に取り付けられ、前記入力デバイスカバーの前記第１の部分の電極めっきにおける近位の静電容量の変化を検出し且つ静電容量の変化が検出されたか否かを示すタッチ出力信号を生成するように構成された静電容量式タッチ検出回路と、
前記入力デバイスと前記静電容量式タッチ検出回路とに結合された信号許可回路であって、静電容量の変化が検出されたか否かに基づいて許可電圧出力を生成するように構成された信号許可回路と
を含むワークステーションと
を含むカテーテル処置システム。
【請求項１２】
前記入力デバイスはアナログジョイスティックである、請求項１１に記載のカテーテル処置システム。
【請求項１３】
前記物理的作動は直線作動である、請求項１２に記載のカテーテル処置システム。
【請求項１４】
前記第１の部分は上部であり、前記第２の部分は下部である、請求項１１に記載のカテーテル処置システム。
【請求項１５】
前記静電容量式タッチ検出回路は、導電性接着剤を用いて前記入力デバイスカバーに取り付けられた導体を用いて前記入力デバイスカバーの上部の電極めっきに結合される、請求項１４に記載のカテーテル処置システム。
【請求項１６】
前記信号許可回路は、前記静電容量式タッチ検出回路に供給電圧を供給するように構成された通信リンクを用いて前記静電容量式タッチ検出回路に結合される、請求項１１に記載のカテーテル処置システム。
【請求項１７】
前記通信リンクは、前記静電容量式タッチ検出回路に接地電圧を供給するように更に構成されている、請求項１６に記載のカテーテル処置システム。
【請求項１８】
前記信号許可回路はゼロ速度基準電圧の入力を受信する、請求項１７に記載のカテーテル処置システム。
【請求項１９】
前記静電容量式タッチ検出回路によって静電容量の変化が検出された場合、前記許可電圧出力信号は前記第１電圧出力信号に等しい、請求項１１に記載のカテーテル処置システム。
【請求項２０】
前記入力デバイスと前記信号許可回路とに結合された入力デバイス作動検出回路であって、前記入力デバイスが作動状態にあるか否かを検出し且つ入力デバイス作動出力信号を生成するように構成された入力デバイス作動検出回路を更に含む、請求項１１に記載のカテーテル処置システム。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
加工部材を保持するためのアダプタを移動させる１つ以上のアクチュエータを備えたリグの使用を追跡するためのシステムであって：
１つ以上のプロセッサと；
前記１つ以上のプロセッサの少なくとも１つに作動的に結合された１つ以上のセンサと；
前記１つ以上のプロセッサの少なくとも１つに作動的に結合されると共に命令を格納する１つ以上のメモリとを含み、前記命令は、前記１つ以上のプロセッサの少なくとも１つによって実行されると、前記システムに：
第１コンピュータシステムからデジタルデザインを受信させ；
構成要素の所望の経路を、前記デジタルデザインに少なくとも部分的に基づいて特定させ、前記構成要素の位置が前記加工部材の位置に関連しており；
前記加工部材を加工表面に対して移動させることに応答して、前記構成要素を前記所望の経路に位置合わせさせ、当該位置合わせが：
前記１つ以上のセンサの少なくとも１つを用いて、前記加工表面に関連した第１データを取得することと；
前記第１データに少なくとも部分的に基づいて前記構成要素の位置データを特定することと、を含み；
前記加工部材の移動時に収集される前記位置データに少なくとも部分的に基づいて、追跡データを第２コンピュータシステムに送信させる、システム。
【請求項２】
前記追跡データは前記デジタルデザインに関連した参照を含む、請求項１に記載のシステム。
【請求項３】
前記デジタルデザインは、前記所望の経路を特定する前に修正される、請求項１−２のいずれかに記載のシステム。
【請求項４】
前記第１データは、前記加工表面に配置された位置マーカーに関連した情報を含む、請求項１−３のいずれかに記載のシステム。
【請求項５】
前記第１コンピュータシステム及び第２コンピュータシステムが同じである、請求項１−４に記載のいずれシステム。
【請求項６】
前記構成要素が前記アダプタである、請求項１−５のいずれかに記載のシステム。
【請求項７】
前記構成要素が前記加工部材である、請求項１−６のいずれかに記載のシステム。
【請求項８】
加工部材を保持するためのアダプタを移動させる１つ以上のアクチュエータを備えたリグの使用を追跡するためのコンピュータ実装方法であって：
第１コンピュータシステムからデジタルデザインを受信する段階と；
構成要素の所望の経路を、前記デジタルデザインに少なくとも部分的に基づいて特定する段階であって、前記構成要素の位置が前記加工部材の位置に関連している、特定する段階と；
前記加工部材を加工表面に対して移動させることに応答して、前記構成要素を前記所望の経路に位置合わせする段階であって、当該位置合わせが：
１つ以上のセンサの少なくとも１つを用いて、前記加工表面に関連した第１データを取得することと；
前記第１データに少なくとも部分的に基づいて前記構成要素の位置データを特定することと、を含む、位置合わせする段階と；
前記加工部材の移動時に収集される前記位置データに少なくとも部分的に基づいて、追跡データを第２コンピュータシステムに送信する段階と、を含む、コンピュータ実装方法。
【請求項９】
加工部材を保持するためのアダプタを移動させる１つ以上のアクチュエータを備えたリグの使用を追跡するための命令を格納する１つ以上のコンピュータ可読媒体であって、前記命令は、１つ以上の計算装置によって実行されると、前記１つ以上の計算装置の少なくとも１つに：
第１コンピュータシステムからデジタルデザインを受信させ；
構成要素の所望の経路を、前記デジタルデザインに少なくとも部分的に基づいて特定させ、前記構成要素の位置が前記加工部材の位置に関連しており；
前記加工部材を加工表面に対して移動させることに応答して、前記構成要素を前記所望の経路に位置合わせさせ、当該位置合わせが：
１つ以上のセンサの少なくとも１つを用いて、前記加工表面に関連した第１データを取得することと；
前記第１データに少なくとも部分的に基づいて前記構成要素の位置データを特定することと、を含み；
前記加工部材の移動時に収集される前記位置データに少なくとも部分的に基づいて、追跡データを第２コンピュータシステムに送信させる、１つ以上のコンピュータ可読媒体。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
ユニバーサルシリアルバス(USB)システムにおけるオーディオおよび/またはビデオの通信を制御するための方法であって、
第1のプロセッサ内のUSBドライバにおいて可変サイズのパケットを受信するステップと、
受信された前記可変サイズのパケットに基づいて、前記第1のプロセッサにおいて均一サイズのパケットを組み立てるステップであって、バス周波数およびパケットあたりのサンプルの数を使用して前記パケットの前記サイズを計算するステップを備える、ステップと、
前記均一サイズのパケットを第2のプロセッサに渡すステップであって、前記第2のプロセッサはアプリケーションプロセッサであり、前記均一サイズのパケットは、前記第2のプロセッサのプロトコルスタック中のアプリケーションレイヤにおいてアプリケーションによって使用可能である、ステップと
を含む、方法。
【請求項２】
前記第1のプロセッサおよび前記第2のプロセッサは単一の集積回路の中に集積される、請求項1に記載の方法。
【請求項３】
前記第1のプロセッサにおいて前記可変サイズのパケットを受信するステップは、前記可変サイズのパケットをマイクロプロセッサまたはオーディオデジタル信号プロセッサ(ADSP)において受信するステップを含む、請求項1に記載の方法。
【請求項４】
前記第1のプロセッサにおいて前記可変サイズのパケットを受信するステップは、前記可変サイズのパケットを周辺機器とホストとの間の中間デバイスにおいて受信するステップを含む、請求項1に記載の方法。
【請求項５】
前記可変サイズのパケットを受信するステップは、前記可変サイズのパケットを周辺機器中のプロセッサにおいて受信するステップを含む、請求項1に記載の方法。
【請求項６】
前記均一サイズのパケットを組み立てるステップは、高解像度タイマからのタイムスタンプを受信するステップを含む、請求項1に記載の方法。
【請求項７】
ユニバーサルシリアルバスシステムにおけるオーディオおよび/またはビデオの通信を制御するためのホストのための装置であって、
第1のプロセッサ内のUSBドライバにおいて可変サイズのパケットを受信するための手段と、
受信された前記可変サイズのパケットに基づいて、前記第1のプロセッサにおいて均一サイズのパケットを組み立てるための手段であって、バス周波数およびパケットあたりのサンプルの数を使用して前記パケットの前記サイズを計算する、手段と、
前記均一サイズのパケットを第2のプロセッサに渡すための手段であって、前記第2のプロセッサはアプリケーションプロセッサであり、前記均一サイズのパケットは、前記第2のプロセッサのプロトコルスタック中のアプリケーションレイヤにおいてアプリケーションによって使用可能である、ための手段と
を備える、装置。
【請求項８】
前記第2のプロセッサはアプリケーションプロセッサであり、前記装置はユニバーサルシリアルバス(USB)ハードウェアをさらに備え、前記受信するための手段、組み立てるための手段、および渡すための手段は、
オーディオデジタル信号プロセッサ(ADSP)であって、
前記USBハードウェアを通して前記ADSPにおいて可変サイズのパケットを受信し、
前記ADSPにおいて均一サイズのパケットを組み立て、
前記均一サイズのパケットを前記プロトコルスタック中の前記アプリケーションレイヤにおけるアプリケーションによる使用のために前記アプリケーションプロセッサに渡す
ように構成される、ADSPを備える、請求項7に記載の装置。
【請求項９】
前記第2のプロセッサはアプリケーションプロセッサであり、前記装置はユニバーサルシリアルバス(USB)ハードウェアをさらに備え、前記受信するための手段、組み立てるための手段、および渡すための手段は、
複数のプロセッサを備えるシステムオンチップ(SoC)であって、前記複数のプロセッサは、
前記第1のプロセッサにおいて可変サイズのパケットを受信し、
前記第1のプロセッサにおいて均一サイズのパケットを組み立て、
前記均一サイズのパケットを前記プロトコルスタック中の前記アプリケーションレイヤにおけるアプリケーションによる使用のために前記第2のプロセッサに渡す
ように構成される、SoCを備える、請求項7に記載の装置。
【請求項１０】
前記第1のプロセッサはマイクロプロセッサまたはオーディオデジタル信号プロセッサ(ADSP)を備える、請求項8または9に記載の装置。
【請求項１１】
請求項7に記載の前記装置を備えるプロセッサであって、
オーディオデータバッファを備え、前記装置は、
ユニバーサルシリアルバス(USB)オーディオクライアント(UAC)であって、
可変サイズのパケットを受信し、
均一サイズのパケットを組み立て、
前記均一サイズのパケットをプロトコルスタック中のアプリケーションレイヤにおけるアプリケーションによる使用のために第2のプロセッサに渡す
ように構成される、USB UACを備える、プロセッサ。
【請求項１２】
前記プロセッサは、USB周辺機器内に位置付けられるように適合される、請求項11に記載のプロセッサ。
【請求項１３】
前記プロセッサは、周辺機器とホストとの間にあるように構成される中間デバイス中に位置付けられるように適合される、請求項11に記載のプロセッサ。
【請求項１４】
前記プロセッサは、ホスト中に位置付けられるか、またはセットトップボックス、エンターテインメントユニット、ナビゲーションデバイス、通信デバイス、固定ロケーションデータユニット、モバイルロケーションデータユニット、全地球測位システム(GPS)デバイス、モバイルフォン、セルラーフォン、スマートフォン、セッション開始プロトコル(SIP)フォン、タブレット、ファブレット、サーバ、コンピュータ、ポータブルコンピュータ、モバイルコンピューティングデバイス、ウェアラブルコンピューティングデバイス、デスクトップコンピュータ、携帯情報端末(PDA)、モニタ、コンピュータモニタ、テレビ、チューナ、ラジオ、衛星ラジオ、音楽プレーヤ、デジタル音楽プレーヤ、ポータブル音楽プレーヤ、デジタルビデオプレーヤ、ビデオプレーヤ、デジタルビデオディスク(DVD)プレーヤ、ポータブルデジタルビデオプレーヤ、自動車、車両構成要素、アビオニクスシステム、ドローン、およびマルチコプターからなるグループから選択されたデバイスに組み込まれるように適合される、請求項11に記載のプロセッサ。
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
クラウドベースのアイデンティティおよびアクセス管理を提供する方法であって、前記方法は、
アプリケーションにアクセスすることを可能にするように構成されたアイデンティティ管理サービスを求める第１の要求を受信するステップと、
前記第１の要求を第１のマイクロサービスに送信するステップとを含み、前記第１のマイクロサービスは、トークンを生成することによって前記アイデンティティ管理サービスを実行し、前記第１のマイクロサービスは、シングルサインオン（ＳＳＯ）マイクロサービスに第２の要求を送信することによって少なくとも部分的に前記トークンを生成し、前記ＳＳＯマイクロサービスは、異なるプロトコルに基づく異なるマイクロサービスにまたがるシングルサインオン機能を提供するように構成されており、
前記トークンを前記第１のマイクロサービスから受信するステップと、
前記トークンを前記アプリケーションに与えるステップとを含み、前記トークンは前記アプリケーションにアクセスすることを可能にする、方法。
【請求項２】
前記第１のマイクロサービスは、プロトコルに基づいて認証機能を提供するように構成されている、請求項１に記載の方法。
【請求項３】
前記プロトコルは、ＯＡｕｔｈまたはセキュリティ・アサーション・マークアップ言語（ＳＡＭＬ）であり、前記ＳＳＯマイクロサービスは、ＯＡｕｔｈおよびＳＡＭＬ双方にまたがるシングルサインオン機能を提供するように構成されている、請求項２に記載の方法。
【請求項４】
前記ＳＳＯマイクロサービスは、セッションクッキーとして構成されたグローバルセッションを生成し、前記グローバルセッションを前記第１のマイクロサービスに与える、請求項３に記載の方法。
【請求項５】
前記第１のマイクロサービスは、前記グローバルセッションを前記トークンに変換する、請求項４に記載の方法。
【請求項６】
前記ＳＳＯマイクロサービスは、前記第２の要求の要求パラメータを正規化する、請求項１〜５のいずれか１項に記載の方法。
【請求項７】
前記アプリケーションは、複数のテナントによって使用されるように構成されている、請求項１〜６のいずれか１項に記載の方法。
【請求項８】
前記第１のマイクロサービスは、ステートレスであり、データベースからデータを取り出して前記アイデンティティ管理サービスを実行する、請求項１〜７のいずれか１項に記載の方法。
【請求項９】
前記データベースおよび前記第１のマイクロサービスは、互いに独立してスケーリングするように構成されている、請求項８に記載の方法。
【請求項１０】
前記データベースは分散型データグリッドを含む、請求項８に記載の方法。
【請求項１１】
前記ＳＳＯのシングルログアウト（ＳＬＯ）を受信するステップと、
クッキーを利用して前記アプリケーションから繰り返しログアウトするステップとを含み、第１のプロトコルのアプリケーションからの各ログアウト後に、前記ＳＳＯマイクロサービスへのリダイレクトを実行することにより、異なるプロトコルのアプリケーションからのログアウトをトリガする、請求項１〜１０のいずれか１項に記載の方法。
【請求項１２】
クラウドベースのアイデンティティおよびアクセス管理を提供するためのシステムであって、前記システムは、
複数のテナントと、
複数のマイクロサービスと、
１つ以上のプロセッサとを備え、前記１つ以上のプロセッサは、
アプリケーションにアクセスすることを可能にするように構成されたアイデンティティ管理サービスを求める第１の要求を受信し、
前記第１の要求を前記複数のマイクロサービスのうちの第１のマイクロサービスに送信し、前記第１のマイクロサービスは、トークンを生成することによって前記アイデンティティ管理サービスを実行し、前記第１のマイクロサービスは、前記複数のマイクロサービスのうちのシングルサインオン（ＳＳＯ）マイクロサービスに第２の要求を送信することによって少なくとも部分的に前記トークンを生成し、前記ＳＳＯマイクロサービスは、異なるプロトコルに基づく異なるマイクロサービスにまたがるシングルサインオン機能を提供するように構成されており、前記１つ以上のプロセッサはさらに、
前記トークンを前記第１のマイクロサービスから受信し、
前記トークンを前記アプリケーションに与え、前記トークンは前記アプリケーションにアクセスすることを可能にする、システム。
【請求項１３】
請求項１〜１１のいずれか１項に記載の方法をプロセッサに実行させるためのコンピュータ読取可能プログラム。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
プロセッサを用いて画像中の少なくとも１つの粒子の粒子境界を識別することにより粒子を特徴付ける方法であって、
閾値法を用いて前記画像を処理して、前記少なくとも１つの粒子に対応する第１の境界を決定するステップと、
エッジ検出法を用いて前記画像を処理して、前記少なくとも１つの粒子に対応する第２の境界を決定するステップと、
前記第１の境界と前記第２の境界とを組み合わせて結合境界を作成するステップと、
前記結合境界を用いて前記少なくとも１つの粒子の粒子境界を決定するステップとを含み、
前記エッジ検出法で用いられるパラメータが適応的であり、前記画像を参照して決定される方法。
【請求項２】
前記閾値法が、適応的閾値法であり、閾値は、前記画像に基づき決定または修正される、請求項１に記載の方法。
【請求項３】
前記適応的閾値法が、前記画像中の強度の範囲を計測するステップと、前記画像中の前記強度の範囲のパーセンテージを参照して前記閾値を決定するステップとを含む、請求項２に記載の方法。
【請求項４】
前記適応的閾値法が、ピクセル強度の上位及び下位パーセンタイルを決定するステップと、その後、前記上位及び下位パーセンタイル間の差を用いて前記閾値を決定するステップとを含む、請求項２または３に記載の方法。
【請求項５】
前記上位パーセンタイルが８０パーセンタイルと９９パーセンタイルの間のパーセンタイルであり、かつ／または、前記下位パーセンタイルが１パーセンタイルと２０パーセンタイルの間のパーセンタイルである、請求項４に記載の方法。
【請求項６】
前記エッジ検出法が、キャニーによるエッジ検出法である、請求項１から５のいずれか一項に記載の方法。
【請求項７】
前記画像を参照して、キャニーによるエッジ検出法のための低閾値及び／または高閾値を決定する、請求項６に記載の方法。
【請求項８】
前記低閾値が前記画像の強度の標準偏差を参照して決定され、前記高閾値が前記低閾値の倍数である、請求項７に記載の方法。
【請求項９】
前記結合境界を含む画像に対し閉じ操作を実行するステップを含む、請求項１から８のいずれか一項に記載の方法。
【請求項１０】
プロセッサを用いて取り込み画像中の少なくとも１つの粒子の粒子境界を識別することにより粒子を特徴付ける方法であって、
閾値法を用いて前記取り込み画像を処理し、強度閾値に基づき粒子に対応する画像特性を識別するステップと、
前記画像特性の連続したピクセルの周りに境界ボックスを描くことにより、前記取り込み画像中の関心領域であって、粒子に対応する少なくとも１つの識別された画像特性をそれぞれが備える関心領域を識別するステップと、
前記取り込み画像から、それぞれ前記取り込み画像より小さくかつ関心領域に対応する少なくとも１つの画像領域を抽出するステップと、
各画像領域に対し請求項１から９のいずれか一項に記載の処理方法を用いて、少なくとも１つの粒子の前記粒子境界を決定するステップとを含む方法。
【請求項１１】
前記取り込み画像を処理して粒子に対応する画像特性を識別するステップの前に、フラットフィールド補正を実行することにより照明変動を補正するステップを更に含む、請求項１０に記載の方法。
【請求項１２】
各画像領域を処理して粒子境界を決定するべきか判断するための拒否基準を適用して、粒子を含む可能性が低い画像領域を除去するステップを含む、請求項１０または１１に記載の方法。
【請求項１３】
前記取り込み画像を処理して粒子に対応する画像特性を識別するステップの前に、シグマフィルタ等の、エッジ保存フィルタを用いて前記取り込み画像を処理するステップを更に含む、請求項１０から１２のいずれか一項に記載の方法。
【請求項１４】
請求項１から１３のいずれか一項の方法を実行するように構成されたプロセッサを含む、粒子を特徴付けるための装置。
【請求項１５】
請求項１から１３のいずれか一項の方法を実行するようにプロセッサを構成するための命令を含む機械可読不揮発性メモリ。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
複数の形状記憶合金光学画像安定化（opticalimage stabilization、ＯＩＳ）カメラであって、
（１）単一ベース部、（２）単一遮蔽カン、（３）単一ＡＦベース部、及び（４）単一ＯＩＳ組立体のうちの１つ以上を含む、ベース部、ＯＩＳ組立体、ＡＦ組立体、及び遮蔽カンを有するタイプの複数の形状記憶合金光学画像安定化（ＯＩＳ）カメラ。
【請求項２】
前記単一ＯＩＳ組立体は支持部材と可動部材とを含み、前記支持部材と前記可動部材との１つ又は両方は単一ベース層を有する、請求項１に記載の複数のカメラ。
【請求項３】
前記可動部材は、２つのばねアーム部とクリンプのような４つのＳＭＡワイヤ取付構造とを有する、請求項２に記載の複数のカメラ。
【請求項４】
それぞれが複数の形状記憶合金ワイヤを含むとともに、オートフォーカス組立体を受け入れるように構成された、複数の光学画像安定化組立体と、
前記複数の光学画像安定化組立体を支持するように構成されたベース部とを含む、カメラレンズ組立体。
【請求項５】
前記複数の光学安定化組立体のそれぞれは支持部材と可動部材とを含む、請求項４に記載のカメラレンズ組立体。
【請求項６】
前記複数の光学安定化組立体はワンピースの支持部材を共有する、請求項４に記載のカメラレンズ組立体。
【請求項７】
前記複数の光学安定化組立体はワンピースの可動部材を共有する、請求項６に記載のカメラレンズ組立体。
【請求項８】
前記ワンピースの支持部材は共に接合された複数の構成要素から形成される、請求項６に記載のカメラレンズ組立体。
【請求項９】
前記ワンピースの可動部材は共に接合された複数の構成要素から形成される、請求項７に記載のカメラレンズ組立体。
【請求項１０】
複数のオートフォーカス組立体をさらに含む、請求項４に記載のカメラレンズ組立体。
【請求項１１】
前記複数のオートフォーカス組立体は、単一オートフォーカスベース部を使用して前記光学画像安定化組立体に取り付けられている、請求項１０に記載のカメラレンズ組立体。
【請求項１２】
複数の遮蔽カンをさらに含む、請求項１０に記載のカメラレンズ組立体。
【請求項１３】
前記複数の光学画像安定化組立体のそれぞれと前記複数のオートフォーカス組立体のそれぞれとの少なくとも一部を覆うように構成された単一遮蔽カンをさらに含み、任意的に、前記単一遮蔽カンは共に接合された複数の構成要素から形成される、請求項１０に記載のカメラレンズ組立体。
【請求項１４】
前記複数のオートフォーカス組立体は、ＳＭＡアクチュエータを使用して動きを生成するように構成される、請求項１０に記載のカメラ組立体。
【請求項１５】
前記単一遮蔽カンは、前記複数のオートフォーカス組立体の少なくとも２つの間に配置された壁部を備える、請求項１３に記載のカメラ組立体。